(57)【特許請求の範囲】
【請求項１】
光ピックアップの発光素子ユニットと、ヒートシンクと、前記ヒートシンクを前記発光素子ユニットの側へ押圧して固定する固定部材とを有する光ピックアップの放熱構造であって、
前記ヒートシンクは、
第１の側面に形成される第１の凹部と、
第２の側面に形成される第２の凹部とを有し、
前記固定部材は、
枠材と、
前記枠材から内方に延在し、少なくとも一部が前記第１の凹部に収容される第１の板バネと、
前記枠材から内方に延在し、少なくとも一部が前記第２の凹部に収容される第２の板バネとを有し、
前記第１の側面と前記第２の側面とは対向しており、前記第１の凹部は、前記第１の側面から前記第２の側面に向かって延びるように形成され、前記第２の凹部は、前記第２の側面から前記第１の側面に向かって延びるように形成され、
前記第１の板バネは、前記第１の凹部において前記ヒートシンクを前記発光素子ユニットの側に押圧するとともに、前記第２の板バネは前記第２の凹部において前記ヒートシンクを前記発光素子の側に押圧し、
前記第１の凹部の前記延びる方向に直交する方向の寸法は、前記第１の板バネの対応する方向の寸法よりわずかに大きく、かつ、前記第２の凹部の前記延びる方向に直交する方向の寸法は、前記第２の板バネの対応する方向の寸法よりわずかに大きく、
前記第１の凹部の前記第１の側面と逆側の内側縁端と前記第２の凹部の前記第２の側面と逆側の内側縁端との間隔は、第１の板バネの前記第１の凹部において前記ヒートシンクに当接する部位と前記第２の板バネの前記第２の凹部において前記ヒートシンクに当接する部位との間の間隔よりわずかに小さい光ピックアップの放熱構造。
【請求項２】
前記第１の凹部と前記第２の凹部とは互いに対向し、
前記第１の板バネと前記第２の板バネとは互いに対向する請求項１に記載の光ピックアップの放熱構造。
【発明の詳細な説明】
【技術分野】
【０００１】
本発明は、コンパクトディスクやデジタルバーサタイルディスク等のディスクの読み取りや書き込みを行う装置に用いられる光ピックアップの放熱構造に関する。
【背景技術】
【０００２】
コンパクトディスク（ＣＤ）やデジタルバーサタイルディスク（ＤＶＤ）等のディスクの再生装置においては、当該ディスクに記録されたデータを読み出す光ピックアップが用いられる。この光ピックアップは、発光素子であるホログラムレーザを内蔵している。
【０００３】
ホログラムレーザは、レーザ光の照射時に発熱するため、放熱構造が必要となる（例えば特許文献１参照）。一般的には、ホログラムレーザは、光軸まわりの回転調整が必要であることに鑑み、ホログラムレーザのパッケージの背面に金属製のヒートシンクを配置し、更に、ヒートシンクの前面をスプリングで押圧することにより、当該ヒートシンクをホログラムレーザのユニットの側へ押圧して固定する。
【０００４】
図７は、従来の光ピックアップの放熱構造の斜視図、図８は、従来の光ピックアップの放熱構造の分解斜視図、図９は、従来の光ピックアップの放熱構造におけるヒートシンクの斜視図である。
【０００５】
これら図７乃至図９に示すように、ヒートシンク２１０には、水平方向に延在する上部側面２１１に爪部２１２が形成されるとともに、水平方向に延在し、上部側面２１１に対向する下部側面２１３に爪部２１４が形成されている。ヒートシンク２１０を光ピックアップ本体２００に設けられたホログラムレーザパッケージ２０５の背面側に配置して、爪部２１２をホログラムレーザパッケージ２０５の上部側面２０６にかけるとともに、爪部２１４をホログラムレーザパッケージ２０５の下部側面２０７にかけることにより、ヒートシンク２１０の上下方向の位置が定まる。
【０００６】
固定部材２２０は、光ピックアップ本体２００に取り付けられるものであり、枠材２２２と、当該枠材２２２の内側面２２３から内方に延在する板バネ２２４と、枠材２２２の内側面２２３に対向する内側面２２５から内方に延在し、板バネ２２４と対向する板バネ２２６を有する。枠材２２２をヒートシンク２１０の背面側に配置して、板バネ２２４及び２２６が撓むことにより、当該ヒートシンク２１０の背面を押圧する。これにより、ヒートシンク２１０がホログラムレーザパッケージ２０５の背面に接した状態で固定される。
【特許文献１】特開平８−２８７５０１号公報
【発明の開示】
【発明が解決しようとする課題】
【０００７】
しかしながら、上述した従来の光ピックアップの放熱構造では、板バネ２２４及び２２６の撓みしろも考慮すると、ホログラムレーザパッケージ２０５、ヒートシンク２１０及び固定部材２２０の積層方向の厚さが大きく、光ピックアップの小型化の妨げとなっている。このような問題に対して、ヒートシンク２１０全体を薄くする対策が考えられるが、ヒートシンク２１０全体が薄くなると放熱効率が低下するという別の問題が生じる。
【０００８】
本発明の目的は、上述した事情に鑑みてなされたものであり、放熱効率の低下を抑制しつつ、光ピックアップを小型化することが可能な光ピックアップの放熱構造を提供するものである。
【課題を解決するための手段】
【０００９】
本発明に係る、光ピックアップの発光素子ユニットと、ヒートシンクと、前記ヒートシンクを前記発光素子ユニットの側へ押圧して固定する固定部材とを有する光ピックアップの放熱構造は、前記ヒートシンクが、第１の側面に形成される第１の凹部と、第２の側面に形成される第２の凹部とを有し、前記固定部材が、枠材と、前記枠材から内方に延在し、少なくとも一部が前記第１の凹部に収容される第１の板バネと、前記枠材から内方に延在し、少なくとも一部が前記第２の凹部に収容される第２の板バネとを有し、前記第１の側面と前記第２の側面とは対向しており、前記第１の凹部は、前記第１の側面から前記第２の側面に向かって延びるように形成され、前記第２の凹部は、前記第２の側面から前記第１の側面に向かって延びるように形成され、前記第１の板バネは、前記第１の凹部において前記ヒートシンクを前記発光素子ユニットの側に押圧するとともに、前記第２の板バネは前記第２の凹部において前記ヒートシンクを前記発光素子の側に押圧し、前記第１の凹部の前記延びる方向に直交する方向の寸法は、前記第１の板バネの対応する方向の寸法よりわずかに大きく、かつ、前記第２の凹部の前記延びる方向に直交する方向の寸法は、前記第２の板バネの対応する方向の寸法よりわずかに大きく、前記第１の凹部の前記第１の側面と逆側の内側縁端と前記第２の凹部の前記第２の側面と逆側の内側縁端との間隔は、第１の板バネの前記第１の凹部において前記ヒートシンクに当接する部位と前記第２の板バネの前記第２の凹部において前記ヒートシンクに当接する部位との間の間隔よりわずかに小さい。
【００１０】
この構成によれば、ヒートシンクの一部に凹部を形成し、当該凹部に固定部材の板バネの一部を収容することで、ヒートシンクを発光素子ユニットの側へ押圧して固定する。ヒートシンクの凹部に固定部材の板バネの一部を収容する構成であるため、発光素子ユニット、ヒートシンク及び固定部材の積層方向の厚さを薄くして、光ピックアップの小型化を図ることができる。更には、ヒートシンクの一部に凹部を形成するため、ヒートシンク全体を薄くする場合と比較して、放熱効率の低下が抑制される。
【００１１】
また、本発明に係る光ピックアップの放熱構造は、前記第１の凹部と前記第２の凹部とが互いに対向し、前記第１の板バネと前記第２の板バネとが互いに対向する。
【００１２】
この構成によれば、互いに対向する凹部に互いに対向する板バネの一部が収容されることで、ヒートシンクにおける、板バネの延在方向の位置と、当該延在方向に垂直な方向の位置とを確実に固定することができる。
【発明の効果】
【００１４】
本発明によれば、ヒートシンクの凹部に固定部材の板バネの一部を収容する構成であるため、発光素子ユニット、ヒートシンク及び固定部材の積層方向の厚さを薄くして、光ピックアップの小型化を図ることができる。更には、ヒートシンクの一部に凹部を形成するため、ヒートシンク全体を薄くする場合と比較して、放熱効率の低下が抑制される。
【発明を実施するための最良の形態】
【００１５】
以下、本発明の実施の形態について、図面を参照して具体的に説明する。図１は、本発明の実施の形態に係る光ピックアップの斜視図である。
【００１６】
図１に示すように光ピックアップ１０は、ＣＤやＤＶＤ等のディスクの再生装置に内蔵されて、当該ディスクに記録されたデータを読み出すものであり、光ピックアップ本体１００、フレキシブルケーブル１０１、端子１０２、ヒートシンク１１０及び固定部材１２０により構成される。
【００１７】
図２は、本発明の実施の形態に係る光ピックアップ１０の放熱構造の斜視図、図３は、本発明の実施の形態に係る光ピックアップ１０の放熱構造の分解斜視図、図４は、本発明の実施の形態に係る光ピックアップ１０の放熱構造におけるヒートシンク１１０の斜視図である。
【００１８】
図２及び図３に示すように、光ピックアップ１０の放熱構造は、光ピックアップ１０のうち、光ピックアップ本体１００、ヒートシンク１１０及び固定部材１２０により構成される。
【００１９】
光ピックアップ本体１００は、側面に発光素子ユニットとしてのホログラムレーザパッケージ１０５を有する。このホログラムレーザパッケージ１０５は、ディスクに向けてレーザ光を照射する。ディスクには、データに対応するピットが形成されており、ホログラムレーザパッケージ１０５は、そのピット有無によるレーザ光の反射の違いを検出することにより、データを読み出す。
【００２０】
また、光ピックアップ本体１００の上面には、フレキシブルケーブル１０１が配置される。このフレキシブルケーブル１０１には、固定部材１２０を光ピックアップ本体１００にネジ止めする際に、ネジ１２８が貫通するネジ穴１０３が形成されている。
【００２１】
また、図２及び図３に示すように、固定部材１２０は、ネジ１２８がネジ穴１０３を貫通して光ピックアップ本体１００に締結されることで、当該光ピックアップ本体１００に取り付けられる。この固定部材１２０は、側面に枠材１２２を一体に有し、当該枠材１２２には、板バネ１２４及び１２６が一体に折曲形成されている。具体的には、板バネ１２４は、枠材１２２の内側面１２３から内方に延在し、板バネ１２６は、枠材１２２の内側面１２３に対向する内側面１２５から内方に延在しており、これら板バネ１２４と板バネ１２６とは対向する位置に配置される。また、これら板バネ１２４及び１２６は、ともに側方に屈曲した屈曲部１２４ａ及び１２６ａを有する。
【００２２】
ヒートシンク１１０は、アルミニウム等の熱伝導率の高い金属製の板状部材であり、ホログラムレーザパッケージ１０５がレーザ光を照射する際に生じる熱を放熱する。このヒートシンク１１０には、図３及び図４に示すように、上下方向に延在する側面１１１に、凹部１１２が形成されるとともに、上下方向に延在し、側面１１１に対向する側面１１３に、凹部１１４が形成されており、これら凹部１１２と凹部１１４とは対向する位置に形成される。また、凹部１１２及び１１４の上下方向の寸法は、これら凹部１１２及び１１４に収容される、板バネ１２４及び１２６の屈曲部１２４ａ及び１２６ａの上下方向の寸法に対して、わずかに大きな寸法に設定されている。一方、凹部１１２及び１１４の内側端縁１１２ａ及び１１４ａ間の間隔は、板バネ１２４及び１２６の屈曲部１２４ａ及び１２６ａ間の間隔よりもわずかに小さい寸法に設定されている。
【００２３】
ホログラムレーザパッケージ１０５に対するヒートシンク１１０の取り付けは、以下のようにして行われる。まず、ホログラムレーザパッケージ１０５の背面に、ヒートシンク１１０が配置される。このとき、ヒートシンク１１０は、凹部１１２及び１１４が形成された側が背面側となるように配置される。
【００２４】
次に、固定部材１２０を、ヒートシンク１１０の背面に枠材１２２が位置するように配置する。このとき、図５に示すように、枠材１２２に設けられた板バネ１２４は、屈曲部１２４ａがヒートシンク１１０の凹部１１２に収容（嵌入）される。同様に、枠材１２２に設けられた板バネ１２６は、屈曲部１２６ａがヒートシンク１１０の凹部１１４に収容（嵌入）される。
【００２５】
凹部１１２及び１１４の寸法は、収容される板バネ１２４及び１２６の屈曲部１２４ａ及び１２６ａに対して、上述したような寸法関係になるように設定されている。従って、板バネ１２４及び１２６の屈曲部１２４ａ及び１２６ａが凹部１１２及び１１４に収容されたときに、ヒートシンク１１０の水平方向及び上下方向の位置が規定される。これにより、ヒートシンク１１０の水平方向の位置及び上下方向の位置を、特別な位置決め手段を設けることなく、適切な位置に定めることができる。
【００２６】
次に、ネジ１２８により、固定部材１２０を光ピックアップ本体１００に固定する。固定部材１２０が光ピックアップ本体１００に固定される際に、枠材１２２は板バネ１２４及び１２６を撓ませながらヒートシンク１１０に接近し、枠材１２２に取り付けられた板バネ１２４の屈曲部１２４ａがヒートシンク１１０の凹部１１２を押圧し、板バネ１２６の屈曲部１２６ａがヒートシンク１１０の凹部１１４を押圧する。これにより、ヒートシンク１１０は、ホログラムレーザパッケージ１０５の側へ押圧されて固定される。
【００２７】
このように、本実施形態の光ピックアップ１０の放熱構造は、ヒートシンク１１０の２つの側面１１１及び１１３に、対向する凹部１１２及び１１４を形成し、これら凹部１１２及び１１４に、固定部材１２０における対向する板バネ１２４及び１２６の屈曲部１２４ａ及び１２６ａを収容（嵌入）することで、これら板バネ１２４及び１２６がヒートシンク１１０をホログラムレーザパッケージ１０５の側へ押圧して固定する。
【００２８】
このように、ヒートシンク１１０の凹部１１２及び１１４に固定部材１２０の板バネ１２４及び１２６の屈曲部１２４ａ及び１２６ａを収容する構成とすることで、ホログラムレーザパッケージ１０５、ヒートシンク１１０及び固定部材１２０の積層方向の厚さを薄くして、光ピックアップの小型化を図ることができる。更には、ヒートシンク１１０の一部に凹部１１２及び１１４を形成するため、ヒートシンク１１０の全体を薄くする場合と比較して、放熱効率の低下が抑制される。また、互いに対向する凹部１１２及び１１４に互いに対向する板バネ１２４及び１２６の屈曲部１２４ａ及び１２６ａが収容（嵌入）されることで、ヒートシンク１１０における、板バネ１２４及び１２６の延在方向（水平方向）の位置と、当該延在方向に垂直な方向（上下方向）の位置とを確実に規定することができる。
【００２９】
なお、上述した実施形態では、図４に示すように、ヒートシンク１１０には、２つの凹部１１２及び１１４が形成されているが、これに限定されるものではなく、例えば、図６に示すように、これら２つの凹部を繋げた単一の凹部１１６を形成するようにしてもよい。
【００３０】
また、上述した実施形態では、ディスクに記録されたデータを読み出すディスク再生装置に内蔵される光ピックアップの放熱構造について説明したが、他のディスク読み取り装置や、ディスクに対してデータを書き込む書き込み装置に内蔵される光ピックアップの放熱構造ついても、同様に本発明を適用することができる。
【産業上の利用可能性】
【００３１】
以上、説明したように、本発明に係る光ピックアップの放熱構造は、放熱効率の低下を抑制しつつ、光ピックアップを小型化することが可能であり、光ピックアップの放熱構造として有用である。
【図面の簡単な説明】
【００３２】
【図１】本発明の実施の形態に係る光ピックアップの斜視図である。
【図２】本発明の実施の形態に係る光ピックアップの放熱構造の斜視図である。
【図３】本発明の実施の形態に係る光ピックアップの放熱構造の分解斜視図である。
【図４】本発明の実施の形態に係るヒートシンクの斜視図である。
【図５】本発明の実施の形態に係るヒートシンクと板バネの斜視図である。
【図６】本発明の実施の形態に係るヒートシンクの他の例の斜視図である。
【図７】従来の光ピックアップの放熱構造の斜視図である。
【図８】従来の光ピックアップの放熱構造の分解斜視図である。
【図９】従来のヒートシンクの斜視図である。
【符号の説明】
【００３３】
１０  光ピックアップ
１００  光ピックアップ本体
１０１  フレキシブルケーブル
１０２  端子
１０３  ネジ穴
１０５  ホログラムレーザパッケージ
１１０  ヒートシンク
１１１、１１３  側面
１１２、１１４  凹部
１１２ａ、１１４ａ  内側端縁
１２０  固定部材
１２２  枠材
１２３、１２５  内側面
１２４、１２６  板バネ
１２４ａ、１２６ａ  屈曲部
【図１】
0005224340.tif 000002
【図２】
0005224340.tif 000003
【図３】
0005224340.tif 000004
【図４】
0005224340.tif 000005
【図５】
0005224340.tif 000006
【図６】
0005224340.tif 000007
【図７】
0005224340.tif 000008
【図８】
0005224340.tif 000009
【図９】
0005224340.tif 000010